(57)【特許請求の範囲】
【請求項１】
内部に熱源が設けられた加熱ロールと、その加熱ロールに対向して圧接する加圧ロールと、を備え、トナー像が転写された記録媒体を前記加熱ロールと前記加圧ロールの間を通過させて定着処理し画像を形成する画像形成装置において、
前記加熱ロールの表面における記録媒体の通過領域を局所的に加熱する第１の加熱手段、及び、局所的に冷却する第１の冷却手段の少なくとも一方と、
前記第１の加熱手段及び前記第１の冷却手段の少なくとも一方に対応して設けられ、前記通過領域の温度を測定する第１の温度測定手段と、
前記加熱ロールの表面における記録媒体の通過領域外を局所的に加熱する第２の加熱手段、及び、局所的に冷却する第２の冷却手段の少なくとも一方と、
前記第２の加熱手段及び前記第２の冷却手段の少なくとも一方に対応して設けられ、前記通過領域外の温度を測定する第２の温度測定手段と、
前記第１の温度測定手段及び前記第２の温度測定手段によって測定された各温度の温度上昇又は温度低下の勾配差に基づいて、前記加熱ロールに対する記録媒体の巻き付き異常の有無を判定する異常判定手段と、
前記異常判定手段による判定結果が報知される報知手段と、
を有することを特徴とする画像形成装置。
【請求項２】
前記記録媒体の長さが前記加熱ロールの周長よりも長い又は短い場合に、前記第１の加熱手段による加熱又は前記第１の冷却手段による冷却を行わず、前記異常判定手段は、前記第１の温度測定手段によって測定された回転する前記加熱ロールの周方向における温度変化に基づいて、加熱ロールに対する記録媒体の巻き付き異常の有無を判定することを特徴とする請求項１記載の画像形成装置。
【請求項３】
前記加熱ロールに巻き付いた記録媒体を検出する記録媒体検出手段を備え、記録媒体の長さが前記加熱ロールの周長よりも短く、且つ、前記巻き付いた記録媒体が前記記録媒体検出手段によって検出された場合に、その記録媒体の次に定着処理する記録媒体を加速して巻き付き途中の記録媒体の後部と加熱ロールと間に挟み込ませつつ加熱ロールに巻き付けることを特徴とする請求項２記載の画像形成装置。
【請求項４】
前記記録媒体検出手段は、前記加熱ロールの表面から所定距離だけ離間して対向配置され外周面に突起が設けられた回転可能な回転部材を備え、前記巻き付いた記録媒体の先端に前記突起が押されて前記回転部材が回転することによりその記録媒体を検出する回転検出手段とされていることを特徴とする請求項３記載の画像形成装置。
【請求項５】
前記加熱ロールの表面から所定距離だけ離間して対向配置され外周面に突起が設けられて加熱ロールとは逆方向へ回転駆動されるとともに、前記巻き付いた記録媒体の先端を前記突起に引っ掛けて前記加熱ロールから剥離する回転剥離部材を有することを特徴とする請求項１記載の画像形成装置。
【請求項６】
前記回転部材又は前記回転剥離部材と、前記加熱ロールの間隔を略一定に保つ間隔保持手段を有することを特徴とする請求項４又は請求項５記載の画像形成装置。
【請求項７】
前記間隔保持手段は、前記回転部材又は前記回転剥離部材と同軸的に配置されるとともにそれらよりも大径とされ、且つ、それらとは独立して回転可能とされて前記加熱ロールの表面における記録媒体の通過領域外に接触する回転ロールとされていることを特徴とする請求項６記載の画像形成装置。
【発明の詳細な説明】
【技術分野】
【０００１】
本発明は、画像形成装置に係り、詳細には、トナー像が転写された記録媒体を加熱ロールと加圧ロールの間を通過させて定着処理し画像を形成する電子写真方式の画像形成装置に関する。
【背景技術】
【０００２】
電子写真方式の画像形成装置では、トナー像が転写された用紙を、対向する加熱ロールと加圧ロールの間を通過させて定着処理する際に、用紙が加熱ロールに巻き付いてしまうことがある。
【０００３】
このような加熱ロールでの用紙巻き付きを防止するために、従来よりさまざまな用紙剥離手段が考案され実用化されているが、印字内容や用紙種類等の条件でどうしても巻き付き現象が起きてしまい、最悪の場合は巻き付いた用紙が焦げて異臭を発生することもある。
【０００４】
また、加熱ロールに一旦巻き付いた用紙は、一定時間経過すると加熱ロールとほぼ同じ温度まで上昇してしまうことから、例えば巻き付き用紙の有無を温度センサで監視しているだけでは、巻き付き用紙がユーザによって除去されなかった場合などでも印刷を再開できてしまうことがある。そして、用紙が加熱ロールに巻き付いたままの状態で定着処理されると、定着不良を生じて画像汚れが発生することになる。
【０００５】
これに対し、加熱ロール（定着ロール）における用紙通過領域（通紙範囲）とその領域外（通紙範囲外）の各検出温度に基づいて温度値を算出し、温度値と基準温度値とを比較することによって、加熱ロールでの用紙の巻き付き発生を判断する技術がある（例えば、特許文献１参照）。また、用紙巻き付きの発生後に加熱ロールの加熱を一旦停止し、再加熱して温度上昇させたときの温度勾配を測定することにより、加熱ロールに巻き付いた用紙が残っていないことを判断する技術がある（例えば、特許文献２参照）。
【特許文献１】特開２００２−１５６８６８号公報
【特許文献２】特開平６−８９０６７号公報
【発明の開示】
【発明が解決しようとする課題】
【０００６】
しかしながら、上述した特許文献１の技術では、単に用紙通過領域とその領域外の温度を検出するものであるため、例えば、巻き付き後に非常に短い時間でロール温度と同等になってしまう使用済みの用紙（裏紙）等では、巻き付き用紙の有無を正確に検知できない問題がある。
【０００７】
また、特許文献２の技術では、巻き付いた用紙の残存を、加熱ロールの加熱を一旦停止して再加熱したきの温度勾配から判断するため、その判断に時間を要し、さらに、加熱ロールが所定の温度に達して印刷を再開できるようになるまでの時間も掛かる問題がある。
【０００８】
本発明は上記事実を考慮して、加熱ロールに巻き付いて除去されていない記録媒体の検知を迅速且つ正確に行って定着不良を防止し、良好な画像を形成することができる画像形成装置を提供することを課題とする。
【課題を解決するための手段】
【０００９】
上記目的を達成するために請求項１に記載の発明は、内部に熱源が設けられた加熱ロールと、その加熱ロールに対向して圧接する加圧ロールと、を備え、トナー像が転写された記録媒体を前記加熱ロールと前記加圧ロールの間を通過させて定着処理し画像を形成する画像形成装置において、前記加熱ロールの表面における記録媒体の通過領域を局所的に加熱する第１の加熱手段、及び、局所的に冷却する第１の冷却手段の少なくとも一方と、前記第１の加熱手段及び前記第１の冷却手段の少なくとも一方に対応して設けられ、前記通過領域の温度を測定する第１の温度測定手段と、前記加熱ロールの表面における記録媒体の通過領域外を局所的に加熱する第２の加熱手段、及び、局所的に冷却する第２の冷却手段の少なくとも一方と、前記第２の加熱手段及び前記第２の冷却手段の少なくとも一方に対応して設けられ、前記通過領域外の温度を測定する第２の温度測定手段と、前記第１の温度測定手段及び前記第２の温度測定手段によって測定された各温度の温度上昇又は温度低下の勾配差に基づいて、前記加熱ロールに対する記録媒体の巻き付き異常の有無を判定する異常判定手段と、前記異常判定手段による判定結果が報知される報知手段と、を有することを特徴としている。
【００１０】
本発明では、第１及び第２の加熱手段が設けられた構成では、例えば画像形成装置による印刷動作（画像形成動作）で、加熱ロールへの記録媒体の巻き付きを含むジャムが発生し動作停止した場合、ユーザによってジャムの解消作業が行われると、印刷が再開される前に、第１の加熱手段によって、加熱ロールの表面における記録媒体の通過領域が局所的に例えば極短時間加熱され、第２の加熱手段によって、加熱ロールの表面における記録媒体の通過領域外が局所的に例えば極短時間加熱される。
【００１１】
ここで、加熱ロールに巻き付いた記録媒体がユーザによって正しく除去された場合には、記録媒体の通過領域における加熱箇所と、通過領域外の加熱箇所とがほぼ等しく温度上昇するため、第１の温度測定手段によって測定される通過領域の加熱箇所の温度上昇の勾配（温度上昇カーブ）と、第２の温度測定手段によって測定される通過領域外の加熱箇所の温度上昇の勾配とがほぼ等しくなる。このように、各温度の上昇勾配にほぼ差が無い場合、異常判定手段は、加熱ロールに巻き付いた記録媒体が除去されたと判定する。そしてその判定結果が、すなわち、加熱ロールに対する記録媒体の巻き付き異常が解消されたことを示すメッセージ等が報知手段によって報知される。この報知を受けて、ユーザは画像形成装置が正常に動作すると認識し、印刷を再開する。
【００１２】
また、加熱ロールに巻き付いた記録媒体が除去されなかった場合には、記録媒体が残存する通過領域の加熱箇所（記録媒体の加熱箇所）の方が、通過領域外の加熱箇所（加熱ロール表面の加熱箇所）よりも温度上昇の勾配が緩くなるため、第１の温度測定手段によって測定される通過領域の加熱箇所の温度上昇の勾配と、第２の温度測定手段によって測定される通過領域外の加熱箇所の温度上昇の勾配とに差が生じる。このように、各温度の上昇勾配に差がある場合、異常判定手段は、加熱ロールに巻き付いた記録媒体が除去されていないと判定する。また、加熱ロールへの巻き付き後に非常に短い時間でロール温度と同等になってしまうような使用済みの用紙等のように、通過領域（記録媒体）と通過領域外（ロール表面）の温度差による記録媒体の検知が困難な場合でも、各加熱箇所の温度上昇勾配（温度上昇カーブ）には差が出るため、加熱ロールと記録媒体の判別が可能となる。
【００１３】
この異常判定手段による判定結果は、すなわち、加熱ロールに対する記録媒体の巻き付き異常が解消されていないことを示すエラーメッセージ等は、報知手段によって報知される。この報知を受けたユーザは、加熱ロールに記録媒体が巻き付いていないかを入念に確認するようになり、これによって、巻き付いた記録媒体がユーザに発見され確実に除去される。
【００１４】
そして、この記録媒体の除去後は、上述したように、第１の温度測定手段及び第２の温度測定手段によって測定される各温度の上昇勾配にほぼ差が無い状態となり、異常判定手段は、加熱ロールに巻き付いた記録媒体が除去された判定して、その判定結果が報知手段によって報知される。この報知を受けてユーザが印刷を再開すると、定着不良のない良好な画像が得られる。
【００１５】
一方、第１及び第２の冷却手段が設けられた構成では、ユーザによりジャムの解消作業が行われて印刷が再開される前に、第１の冷却手段によって、加熱ロールの表面における記録媒体の通過領域が局所的に例えば極短時間冷却され、第２の冷却手段によって、加熱ロールの表面における記録媒体の通過領域外が局所的に例えば極短時間冷却される。
【００１６】
ここで、加熱ロールに巻き付いた記録媒体がユーザによって正しく除去された場合には、記録媒体の通過領域における冷却部と、通過領域外の冷却部とがほぼ等しく温度低下するため、第１の温度測定手段によって測定される通過領域の冷却部の温度低下の勾配（温度低下カーブ）と、第２の温度測定手段によって測定される通過領域外の冷却部の温度低下の勾配とがほぼ等しくなる。このように、各温度の低下勾配にほぼ差が無い場合、異常判定手段は、加熱ロールに巻き付いた記録媒体が除去された判定し、その判定結果（加熱ロールに対する記録媒体の巻き付き異常が解消されたこと）が報知手段によって報知される。
【００１７】
また、加熱ロールに巻き付いた記録媒体が除去されなかった場合には、通過領域外（加熱ロール表面）の冷却部の方が、記録媒体が残存する通過領域（記録媒体）の冷却部よりも温度低下の勾配が緩くなるため、第１の温度測定手段によって測定される通過領域の冷却部の温度低下の勾配と、第２の温度測定手段によって測定される通過領域外の冷却部の温度低下の勾配とに差が生じる。このように、各温度の低下勾配に差がある場合、異常判定手段は、加熱ロールに巻き付いた記録媒体が除去されていないと判定する。また、通過領域（記録媒体）と通過領域外（ロール表面）の温度差による検知が困難な使用済みの用紙等に対しても、各冷却箇所の温度低下勾配（温度低下カーブ）には差が出ることで、この場合も加熱ロールと記録媒体を判別することができる。
【００１８】
この異常判定手段による判定結果（加熱ロールに対する記録媒体の巻き付き異常が解消されていないこと）は、報知手段によって報知され、これにより、ユーザによって、加熱ロールに巻き付いた記録媒体の有無が再確認され、発見後に確実に除去される。
【００１９】
巻き付き記録媒体の除去後は、上述したように、第１の温度測定手段及び第２の温度測定手段によって測定される各温度の低下勾配にほぼ差が無い状態となり、異常判定手段は、加熱ロールに巻き付いた記録媒体が除去された判定して、その判定結果が報知手段によって報知される。この報知を受けて印刷が再開されると、定着不良のない良好な画像が得られる。
【００２０】
また、上記の第１の加熱手段及び第１の冷却手段を一つの組として備え、加熱ロールの表面における記録媒体の通過領域を局所的に加熱及び冷却し、第２の加熱手段及び第２の冷却手段を一つの組として備え、加熱ロールの表面における記録媒体の通過領域外を局所的に加熱及び冷却するように構成することもできる。
【００２１】
例えば、加熱手段に対して冷却手段を、加熱ロールの回転方向における下流側に配置した場合には、通過領域／通過領域外を局所的に加熱してから冷却することができ、又、上流側に配置した場合には、冷却してから加熱することができる。
【００２２】
これにより、加熱ロールと記録媒体の区別を、温度上昇勾配と温度低下勾配の両方（温度上昇後に低下するカーブ又は温度低下後に上昇するカーブ）から判定できるようになり、加熱ロールに残存する巻き付き記録媒体の検知精度を向上させることができる。
【００２３】
そしてこのように、通過領域／通過領域外を局所的に加熱／冷却することにより、加熱ロールに対する巻き付き記録媒体の有無が正確に検知できるようになり、巻き付き後に非常に短い時間でロール温度と同等になってしまうような使用済みの用紙等であっても、その有無を正確に検知できるようになる。また、従来のように、加熱ロールの加熱を一旦停止して再加熱するようなこともないため、記録媒体の検知判定に要する時間、及び、印刷が再開できるまでの時間が短縮される。したがって、加熱ロールに巻き付いて除去されていない記録媒体の検知が迅速且つ正確に行われて定着不良が防止されるようになり、定着不良による画像汚れの無い良好な画像形成が可能となる。
【００２４】
請求項２に記載の発明は、請求項１記載の画像形成装置において、前記記録媒体の長さが前記加熱ロールの周長よりも長い又は短い場合に、前記第１の加熱手段による加熱又は前記第１の冷却手段による冷却を行わず、前記異常判定手段は、前記第１の温度測定手段によって測定された回転する前記加熱ロールの周方向における温度変化に基づいて、加熱ロールに対する記録媒体の巻き付き異常の有無を判定することを特徴としている。
【００２６】
請求項２に記載の発明では、記録媒体の長さが加熱ロールの周長よりも長い又は短い場合に、加熱ロールへの記録媒体の巻き付きを含むジャムが発生し、ユーザによるジャムの解消作業が行われて印刷が再開される前に、第１の温度測定手段又は温度測定手段によって、回転する加熱ロールの表面における記録媒体の通過領域の温度が測定される。
【００２７】
ここで、加熱ロールに巻き付いた記録媒体がユーザによって正しく除去された場合には、回転する加熱ロールの周方向における温度変化はほぼ無く、ほぼ一定の温度となる。
【００２８】
このように、回転する加熱ロールの周方向における温度変化がほぼ無い場合、異常判定手段は、加熱ロールに巻き付いた記録媒体が除去されたと判定し、その判定結果（加熱ロールに対する記録媒体の巻き付き異常が解消されたこと）が報知手段によって報知される。
【００２９】
また、加熱ロールに巻き付いた記録媒体が除去されていないと、記録媒体は加熱ロールによって温められるが、その長さが加熱ロールの周長よりも長い場合には、記録媒体の長さ方向における両端部が重なって、その重なり部では他部よりも温度が低くなる（温度上昇が遅くなる）ため、回転する加熱ロールの周方向における温度に、一定周期で低温部が現れる。
【００３０】
一方、記録媒体の長さが加熱ロールの周長よりも短い場合には、記録媒体の長さ方向における両端部に隙間ができて、その隙間部では加熱ロールの表面が露出し記録媒体よりも温度が高くなるため、回転する加熱ロールの周方向における温度に、一定周期で高温部が現れる。
【００３１】
ここで、異常判定手段は、上記の低温部又は高温部が検出されると、加熱ロールに巻き付いた記録媒体が除去されていないと判定する。
【００３２】
この異常判定手段による判定結果（加熱ロールに対する記録媒体の巻き付き異常が解消されていないこと）は、報知手段によって報知され、これにより、ユーザによって、加熱ロールに巻き付いた記録媒体の有無が再確認され、発見後に確実に除去される。
【００３３】
巻き付き記録媒体の除去後は、上述したように、第１の温度測定手段又は温度測定手段によって測定される温度に周期的な変化が現れず、ほぼ一定となり、異常判定手段は、加熱ロールに巻き付いた記録媒体が除去された判定して、その判定結果が報知手段によって報知される。この報知を受けて印刷が再開されると、定着不良のない良好な画像が得られる。
【００３４】
このように、加熱ロールの周長よりも長さの長い又は短い記録媒体に対しては、加熱ロールを回転させてロール表面温度を測定することにより、巻き付き記録媒体が除去されたか否かを検知することができ、したがって、その巻き付き記録媒体の検知が迅速に行えるようになる。
【００３５】
請求項３に記載の発明は、請求項２記載の画像形成装置において、前記加熱ロールに巻き付いた記録媒体を検出する記録媒体検出手段を備え、記録媒体の長さが前記加熱ロールの周長よりも短く、且つ、前記巻き付いた記録媒体が前記記録媒体検出手段によって検出された場合に、その記録媒体の次に定着処理する記録媒体を加速して巻き付き途中の記録媒体の後部と加熱ロールと間に挟み込ませつつ加熱ロールに巻き付けることを特徴としている。
【００３６】
請求項３に記載の発明では、加熱ロールの周長よりも長さの短い記録媒体が加熱ロールに巻き付いた場合に、その巻き付き記録媒体が記録媒体検出手段によって検出されることで、その記録媒体の次に定着処理する記録媒体が加速され、その先端部が巻き付き途中の記録媒体の後部と加熱ロールと間に挟み込まれるとともに、加熱ロールの回転に伴い、最初に巻き付いた記録媒体に重なって加熱ロールに巻き付けられる。
【００３７】
これにより、加熱ロールの周長よりも長さの短い記録媒体であっても、記録媒体の重なり部を形成することができて、請求項２の発明のように、加熱ロール表面の周方向における温度変化を監視して記録媒体を検知する際に、より確実に検知することができる。
【００３８】
また、特に、このような加熱ロールの周長よりも長さの短い記録媒体では、ユーザが画像形成装置を開放して加熱ロールを確認したときに、加熱ロールの表面が露出していると記録媒体が無いものと認識して、そのまま装置を閉塞してしまうことがある。しかしここでは、加熱ロールを確認したときに記録媒体が発見されやすくなって、記録媒体が放置されるようなことも防止できる。
【００３９】
請求項４に記載の発明は、請求項３記載の画像形成装置において、前記記録媒体検出手段は、前記加熱ロールの表面から所定距離だけ離間して対向配置され外周面に突起が設けられた回転可能な回転部材を備え、前記巻き付いた記録媒体の先端に前記突起が押されて前記回転部材が回転することによりその記録媒体を検出する回転検出手段とされていることを特徴としている。
【００４０】
請求項４に記載の発明では、回転検出手段が備える回転部材の外周面に設けられ突起に、加熱ロールに巻き付いた記録媒体の先端が突き当り、そのまま記録媒体の先端に押されて回転部材が回転することにより、記録媒体が検出される。
【００４１】
このような回転部材を備えた回転検出手段であれば、加熱ロールに巻き付いた記録媒体の検出が迅速に行えるようになる。
【００４２】
請求項５に記載の発明は、請求項１記載の画像形成装置において、前記加熱ロールの表面から所定距離だけ離間して対向配置され外周面に突起が設けられて加熱ロールとは逆方向へ回転駆動されるとともに、前記巻き付いた記録媒体の先端を前記突起に引っ掛けて前記加熱ロールから剥離する回転剥離部材を有することを特徴としている。
【００４４】
請求項５に記載の発明では、加熱ロールとは逆方向へ回転駆動する回転剥離部材の外周面に設けられ突起に、加熱ロールに巻き付いた記録媒体の先端が引っ掛けられ、加熱ロールから剥離されてジャムにされる。このような回転剥離部材であれば、例えば固定的に設けられた剥離爪等に対して剥離性が高められる。
【００４５】
そしてこのように、加熱ロールに巻き付いた記録媒体を剥離することで、記録媒体の焦げの発生が抑えられる。また、記録媒体をジャムにしてしまうことで、ユーザが画像形成装置を開放して加熱ロールを確認したときに、記録媒体が見落とされる可能性は少なくなり、記録媒体の放置防止効果も高められる。
【００４６】
請求項６に記載の発明は、請求項４又は請求項５記載の画像形成装置において、前記回転部材又は前記回転剥離部材と、前記加熱ロールの間隔を略一定に保つ間隔保持手段を有することを特徴としている。
【００４７】
請求項６に記載の発明では、例えば、製造誤差等で加熱ロールの表面に凹凸があったり、ロールが偏芯しているような場合でも、間隔保持手段によって、回転部材又は回転剥離部材と、加熱ロールの間隔が略一定に保たれる。これにより、回転部材又は回転剥離部材がロール表面に接触してロール表面を傷付けたり、ロール表面から必要以上に離間して、巻き付いた記録媒体が回転部材又は回転剥離部材をすり抜けてしまうことを防止でき、巻き付き記録媒体の検出精度、又は、剥離性を向上することができる。
【００４８】
請求項７に記載の発明は、請求項６記載の画像形成装置において、前記間隔保持手段は、前記回転部材又は前記回転剥離部材と同軸的に配置されるとともにそれらよりも大径とされ、且つ、それらとは独立して回転可能とされて前記加熱ロールの表面における記録媒体の通過領域外に接触する回転ロールとされていることを特徴としている。
【００４９】
請求項７に記載の発明では、回転部材又は回転剥離部材と同軸的に配置されるとともにそれらよりも大径とされ、且つ、それらとは独立して回転可能とされた回転ロールが、加熱ロールの表面における記録媒体の通過領域外に接触することで、回転部材又は回転剥離部材と、加熱ロールの間隔が略一定に保たれる。このような回転ロールであれば、間隔を高い精度で略一定に保つことができる間隔保持手段を簡単な構成によって実現することができる。
【発明の効果】
【００５０】
本発明の画像形成装置によれば、加熱ロールに巻き付いて除去されていない記録媒体の検知が迅速且つ正確に行われて定着不良が防止され、良好な画像を形成することができる。
【発明を実施するための最良の形態】
【００５１】
以下、図面を参照して本発明の実施形態に係る画像形成装置について説明する。
【００５２】
図１に示すように、本実施形態の画像形成装置１０は、電子写真方式を用いたカラーレーザプリンタで、黒にＮ色追加し、重ね塗りをしない、いわゆる＋Ｎカラー印刷を行う。この画像形成装置１０は、上面に液晶表示パネル等の表示部６２が設けられており、内部には、本実施形態の記録媒体であるプレプリント紙Ｐが装填される給紙カセット２０と、プレプリント紙Ｐに所望の画像を形成するための画像形成部１４と、プレプリント紙Ｐ上に形成された画像を定着させる定着装置１２と、プレプリント紙Ｐを搬送するための搬送ロール１８を具備した用紙搬送系と、画像形成装置１０全体の動作を司るコントロールユニット８０とが設けられている。
【００５３】
この画像形成装置１０では、まず、画像形成部１４で感光体ベルト１６上にトナー像が形成され、このトナー像が、搬送ロール１８によって給紙カセット２０から転写部２２へ搬送されたプレプリント紙Ｐに転写される。そして、トナー像が転写されたプレプリント紙Ｐが、転写部２２の搬送方向下流側で定着装置１２によって加圧、加熱されてトナー像がプレプリント紙Ｐに定着され、排紙ロール２４によってスタッカ２６へ排紙される。また、プレプリント紙Ｐの表裏両面に画像を形成する場合には、定着装置１２の搬送方向下流側の搬送経路が切替えられて、表面にトナー像が定着されたプレプリント紙Ｐが、表裏を反転するための裏面搬送路２８へ搬送される。そして、表裏を反転されたプレプリント紙Ｐは、搬送ベルト２９によって転写部２２の搬送方向上流側へ搬送され、搬送ロール１８によって再び転写部２２へ搬送されて感光体ベルト１６から裏面にトナー像を転写される。そして、プレプリント紙Ｐは、定着装置１２を通過して裏面にトナー像を定着され、排紙ロール２４によってスタッカ２６へ排紙される。
【００５４】
画像形成部１４には、ベルト駆動装置６０が備えられている。このベルト駆動装置６０は、無端ベルトである感光体ベルト１６と、この感光体ベルト１６が回転可能に張架された駆動ロール３２と、従動ロール３４とを備える。駆動ロール３２は、上下方向に延出する搬送経路３０に沿って配設され、従動ロール３４は、駆動ロール３２の水平方向に配設されており、感光体ベルト１６は水平方向に張架されている。
【００５５】
また、画像形成部１４では、それぞれ赤や黒等、異なる色のトナー像を感光体ベルト１６の表面に形成する複数のプリントエンジン３６が、下側の平坦面１６Ｂに沿って配列されている。各プリントエンジン３６は、感光体ベルト１６の回転方向（図中矢印Ａ方向）に順に配設された帯電器３７と、露光ヘッド３８と、現像器３９とを備える。帯電器３７は、帯電コロトロンや帯電ロール等で、感光体ベルト１６を一様に帯電する。また、露光ヘッド３８は、ＬＥＤアレイや光走査装置（Raster Optical Scanner）等で、感光体ベルト１６の帯電面を露光して感光体ベルト１６上に画像データに基づいた静電潜像を形成する。また、現像器３９は、トナーからなる１成分現像剤、或いはトナーやキャリアからなる２成分現像剤を収容しており、現像器３９内で現像剤を攪拌しながら現像ロール３９Ａに搬送する。そして、現像器３９は、現像ロール３９Ａに現像バイアスを印加されて現像ロール３９Ａから感光体ベルト１６の静電潜像上へトナーを移動させる。これによって、感光体ベルト１６上の静電潜像がトナーで可視化される。ここで、各色のトナーは、同じドット上に重ね合わされることなく、各ドットが各色のトナーで形成される。
【００５６】
そして、転写コロトロン４２が、搬送経路を挟んで感光体ベルト１６に面して配設されている。この転写コロトロン４２は、プレプリント紙Ｐの裏面に向けて放電し、プレプリント紙Ｐの裏面に非接触でトナー電荷と逆極性の電荷を与えて、感光体ベルト１６上のトナー像をプレプリント紙Ｐへ転写する。
【００５７】
また、感光体ベルト１６の上側の平坦面１６Ａに面して、クリーニングブレード１００やそれを保持するブレードブラケット等を備えたクリーニング機構４４が配設されている。このクリーニング機構４４は、転写部２２でプレプリント紙Ｐに転写されずに感光体ベルト１６上に残留した未転写残留トナーを感光体ベルト１６から除去する。
【００５８】
そして、転写部２２の搬送方向下流側に配設された定着装置１２は、プレプリント紙Ｐの転写面に接触して回転するヒートロール４６と、プレプリント紙Ｐを間においてヒートロール４６に圧接され、プレプリント紙Ｐの裏面に接触して回転する加圧ロール４８とを備え、ヒートロール４６と加圧ロール４８とで定着ニップＮが形成されている。ヒートロール４６の内部にはハロゲンランプ等のヒーターランプ５０が配設されており、ヒートロール４６の表面が加熱されている。このため、トナー像が転写されたプレプリント紙Ｐが定着ニップＮを通過する際に、プレプリント紙Ｐが加熱、加圧され、プレプリント紙Ｐ上のトナーが溶融してプレプリント紙Ｐに定着される。
【００５９】
ここで、定着装置１２には、離型剤供給装置１３が備えられている。この離型剤供給装置１３は、ヒートロール４６の表面に接触したドナーロール５２と、シリコンオイル等の離型剤を貯留したタンク５４と、ドナーロール５２とタンク５４内の離型剤にスポンジ等の吸収体を介して接触したメタリングロール５６とを備える。
【００６０】
メタリングロール５６の表面には、メタリングブレード（図示省略）が接触している。このメタリングブレードは、所定の圧力でメタリングロール５６の表面に接触し、メタリングロール５６の表面上の離型剤をミクロンオーダーの精度で所定の厚みに規制（計量）している。
【００６１】
そして、メタリングロール５６の表面上で所定の厚みとされた離型剤がドナーロール５２によってヒートロール４６の表面へ搬送され、ヒートロール４６の表面上に、所定の厚みの離型剤の層が形成される。これによって、定着ニップＮにおいて、プレプリント紙Ｐ上のトナーのヒートロール４６の表面からの剥離性が向上されるので、定着不良やトナーの定着オフセットを防止できる。
【００６２】
また、前述したように、印字内容や用紙種類等によっては、ヒートロール４６に用紙が巻き付いてしまうこともあるが、その巻き付き用紙が放置された場合の用紙焦げや定着不良を防止する構成については後述する。
【００６３】
定着装置１２の搬送方向下流側にはパージトレイ２７が配設されており、搬送中に何らかの不具合が発生し、適切な印字処理を施すことができず、不要となったプレプリント紙Ｐが排出されて積載される。
【００６４】
また、図２に示すように、コントロールユニット８０には、表示部６２と、画像形成部１４と、定着装置１２と、感光体ベルト１６を駆動するベルト駆動装置６０と、用紙搬送系を駆動する搬送系駆動部７８とが接続されている。コントロールユニット８０は、これらの各部へ制御信号を送出して、画像形成装置１０全体の動作を制御する。
【００６５】
（第１の実施形態）
次に、本発明の第１の実施形態に係る定着装置１２について説明する。
【００６６】
図３（Ａ）、（Ｂ）に示すように、定着装置１２には、定着ニップＮからヒートロール４６の回転方向の下流側に位置して、ヒートロール４６の表面（外周面）４７における用紙通過領域４７Ａを局所的に加熱するヒーターランプ１００Ａと、ヒートロール４６の表面４７における用紙通過領域外４７Ｂを局所的に加熱するヒーターランプ１００Ｂが設けられている。この２つのヒーターランプ１００Ａ、１００Ｂは共にハロゲンランプ等で構成されている。
【００６７】
ヒーターランプ１００Ａ、１００Ｂよりも更にヒートロール４６の回転方向の下流側には、ヒーターランプ１００Ａに対応して、用紙通過領域４７Ａの温度を測定する温度センサ１０２Ａが設けられており、ヒーターランプ１００Ｂに対応して、用紙通過領域外４７Ｂの温度を測定する温度センサ１０２Ｂが設けられている。この２つの温度センサ１０２Ａ、１０２Ｂは共に非接触式の放射温度計等で構成されている。
【００６８】
そして、これらのヒーターランプ１００Ａ、１００Ｂ、及び、温度センサ１０２Ａ、１０２Ｂは、コントロールユニット８０に接続されており、ヒーターランプ１００Ａ、１００Ｂはコントロールユニット８０によって加熱タイミングや加熱温度が制御され、温度センサ１０２Ａ、１０２Ｂは測定したヒートロール４６の表面４７（用紙通過領域４７Ａ／用紙通過領域外４７Ｂ）の温度を、電気信号による温度データとしてコントロールユニット８０に出力する。
【００６９】
次に、画像形成装置１０による印刷動作（画像形成動作）で、ヒートロール４６に用紙（プレプリント紙Ｐ）が巻き付いた場合の、その用紙巻き付きから回復までの一連の動作を図４のフローチャートを用いて説明する。
【００７０】
図４に示すように、画像形成装置１０による印刷が開始されて（ステップ１１０）、定着処理でのヒートロール４６への用紙巻き付きを含む、用紙搬送系でのジャムが発生すると（ステップ１１２）、印刷が一時停止され、表示部６２に、ジャムが発生したことを報知するエラーメッセージが表示される（ステップ１１４）。
【００７１】
ここで、ユーザによって画像形成装置１０の所定の開閉パネルが開放され、ジャムの解消作業が行われて開閉パネルが閉塞されると（ステップ１１６）、それを検知したコントロールユニット８０は、ヒーターランプ１００Ａ、１００Ｂを制御し、同じ温度で同じ時間（例えば数秒間）だけ加熱動作を行なわせる。これにより、用紙通過領域４７Ａ及び用紙通過領域外４７Ｂが同じ条件で局所的に加熱され（ステップ１１８）、コントロールユニット８０は、それらの加熱箇所が温度センサ１０２Ａ、１０２Ｂの近傍に位置するよう定着装置１２の駆動モータを制御してヒートロール４６を所定角度回転させる。これにより、ヒートロール４６表面の用紙通過領域４７Ａにおける加熱箇所の温度が温度センサ１０２Ａによって測定され、用紙通過領域外４７Ｂにおける加熱箇所の温度が温度センサ１０２Ｂによって測定され、それらの各温度データがコントロールユニット８０に入力される（ステップ１２０）。そして、コントロールユニット８０は、各測定温度について、所定時間経過する間の温度上昇の勾配（温度上昇カーブ）を監視する。
【００７２】
ここで、ヒートロール４６に巻き付いた用紙（プレプリント紙Ｐ）がユーザによって正しく除去された場合には、用紙通過領域４７Ａにおける加熱箇所と、用紙通過領域外４７Ｂの加熱箇所とがほぼ等しく温度上昇するため、温度センサ１０２Ａによって測定された用紙通過領域４７Ａの加熱箇所の温度上昇の勾配と、温度センサ１０２Ｂによって測定された用紙通過領域外４７Ｂの加熱箇所の温度上昇の勾配とがほぼ等しくなる。
【００７３】
このように、各温度の上昇勾配にほぼ差が無い場合、コントロールユニット８０は、ヒートロール４６に巻き付いた用紙が除去された判定する（ステップ１２２の否定判定）。そして、ヒートロール４６に対する用紙の巻き付き異常が解消されたことを示すメッセージが表示部６２に表示される、又は、表示部６２に表示されていた用紙の巻き付き異常が発生していることを示すエラーメッセージが消去されることで、巻き付き異常が解消されたことが報知される（ステップ１２４）。この報知を受けて、ユーザは画像形成装置１０が正常に動作すると認識し、印刷を再開する（ステップ１２６）。
【００７４】
また、ヒートロール４６に巻き付いた用紙をユーザが見落として除去しなかった場合には、用紙が残存する用紙通過領域４７Ａの加熱箇所（用紙の加熱箇所）の方が、用紙通過領域外４７Ｂの加熱箇所（ヒートロール４６表面の加熱箇所）よりも温度上昇の勾配が緩くなるため、温度センサ１０２Ａによって測定された用紙通過領域４７Ａの加熱箇所の温度上昇の勾配と、温度センサ１０２Ｂによって測定された用紙通過領域外４７Ｂの加熱箇所の温度上昇の勾配とに差が生じる。このように、各温度の上昇勾配に差がある場合、コントロールユニット８０は、ヒートロール４６に巻き付いた用紙が除去されていないと判定する（ステップ１２２の肯定判定）。また、ヒートロール４６への巻き付き後に非常に短い時間でロール温度と同等になってしまうような使用済みの用紙等のように、用紙通過領域４７Ａ（用紙）と用紙通過領域外４７Ｂ（ロール表面）の温度差による用紙の検知が困難な場合でも、各加熱箇所の温度上昇勾配（温度上昇カーブ）には差が出るため、ヒートロール４６と用紙の判別が可能となる。
【００７５】
このコントロールユニット８０による判定結果は、すなわち、ヒートロール４６に対する用紙の巻き付き異常が解消されていないことを示すエラーメッセージは、表示部６２に表示される（ステップ１２８）。このエラーメッセージによる報知を受けたユーザは、画像形成装置１０の所定の開閉パネルを開放して、ヒートロール４６に用紙が巻き付いていないかを入念に確認し、これによって、巻き付いた用紙がユーザに発見され確実に除去される（ステップ１１６）。
【００７６】
そして、この巻き付き用紙の除去後に、再び、ヒーターランプ１００Ａ、１００Ｂによるヒートロール４６表面の局所的な加熱が行われ（ステップ１１８）、各加熱箇所が温度センサ１０２Ａ、１０２Ｂによって測定されると（ステップ１２０）、各温度の上昇勾配にほぼ差が無い状態となる。これにより、コントロールユニット８０は、ヒートロール４６に巻き付いた用紙が除去された判定し（ステップ１２４の否定判定）、表示部６２を通して巻き付き異常が解消されたことが報知される（ステップ１２４）。この報知を受けてユーザが画像形成装置１０による印刷を再開すると、定着不良のない良好な画像が形成されたプリントが出力される。
【００７７】
以上説明したように、本実施形態の画像形成装置１０では、ヒートロール４６の表面４７における用紙通過領域４７Ａと用紙通過領域外４７Ｂをそれぞれ局所的に加熱することにより、ヒートロール４６に対する巻き付き用紙の有無が正確に検知できるようになり、巻き付き後に非常に短い時間でロール温度と同等になってしまうような使用済みの用紙等であっても、その有無を正確に検知できるようになる。また、従来のように、ヒートロール４６の加熱を一旦停止して再加熱するようなこともないため、用紙の検知判定に要する時間、及び、印刷が再開できるまでの時間が短縮される。したがって、ヒートロール４６に巻き付いて除去されていない用紙の検知が迅速且つ正確に行われて定着不良が防止されるようになり、定着不良による画像汚れの無い良好な画像形成が可能となる。
【００７８】
（第２の実施形態）
次に、本発明の第２の実施形態について説明する。
【００７９】
図５（Ａ）、（Ｂ）に示すように、本実施形態に係る定着装置では、第１の実施形態で説明したヒーターランプ１００Ａ、１００Ｂに代えて、ヒートロール４６の表面４７に向けて冷却空気を噴射することにより（矢印ＣＡ）、用紙通過領域４７Ａを局所的に冷却する送風ユニット１０４Ａと、用紙通過領域外４７Ｂを局所的に冷却する送風ユニット１０４Ｂが設けられている。この２つの送風ユニット１０４Ａ、１０４Ｂは、コントロールユニット８０に接続されており、コントロールユニット８０によって冷却空気の温度、噴射タイミング、及び噴射量が制御される。
【００８０】
次に、上記構成の定着装置を備える本実施形態の画像形成装置１０において、印刷動作でのヒートロール４６に対する用紙巻き付きからその回復までの一連の動作を図６のフローチャートを用いて説明する。
【００８１】
図６に示すフローチャートのステップ１３０〜１３６では、第１の実施形態で説明した図４に示すフローチャートのステップ１１０〜１１６と同じ動作が行われる。
【００８２】
ユーザによるジャムの解消作業後に、コントロールユニット８０は送風ユニット１０４Ａ、１０４Ｂを制御して、冷却空気の温度及び噴射量を等しくし、同じ時間（例えば数秒間）だけ冷却空気の噴射動作（冷却動作）を行なわせる。これにより、用紙通過領域４７Ａ及び用紙通過領域外４７Ｂが同じ条件で局所的に冷却され（ステップ１３８）、コントロールユニット８０は、それらの冷却箇所が温度センサ１０２Ａ、１０２Ｂの近傍に位置するよう定着装置１２の駆動モータを制御してヒートロール４６を所定角度回転させる。これにより、ヒートロール４６表面の用紙通過領域４７Ａにおける冷却箇所の温度が温度センサ１０２Ａによって測定され、用紙通過領域外４７Ｂにおける冷却箇所の温度が温度センサ１０２Ｂによって測定され、それらの各温度データがコントロールユニット８０に入力される（ステップ１４０）。そして、コントロールユニット８０は、各測定温度について、所定時間経過する間の温度低下の勾配（温度低下カーブ）を監視する。
【００８３】
ここで、ヒートロール４６に巻き付いた用紙（プレプリント紙Ｐ）がユーザによって正しく除去された場合には、用紙通過領域４７Ａにおける冷却箇所と、用紙通過領域外４７Ｂの冷却箇所とがほぼ等しく温度低下するため、温度センサ１０２Ａによって測定された用紙通過領域４７Ａの冷却箇所の温度低下の勾配と、温度センサ１０２Ｂによって測定された用紙通過領域外４７Ｂの冷却箇所の温度低下の勾配とがほぼ等しくなる。
【００８４】
このように、各温度の低下勾配にほぼ差が無い場合、コントロールユニット８０は、ヒートロール４６に巻き付いた用紙が除去された判定する（ステップ１４２の否定判定）。そして、表示部６２を通して、ヒートロール４６における用紙の巻き付き異常が解消されたことが報知され（ステップ１４４）、印刷の再開が可能となる（ステップ１４６）。
【００８５】
また、ヒートロール４６に巻き付いた用紙が残存する場合には、用紙通過領域外４７Ｂの冷却箇所（ヒートロール４６表面の冷却箇所）の方が、用紙通過領域４７Ａの冷却箇所（用紙の冷却箇所）よりも温度低下の勾配が緩くなるため、温度センサ１０２Ａによって測定された用紙通過領域４７Ａの冷却箇所の温度低下の勾配と、温度センサ１０２Ｂによって測定された用紙通過領域外４７Ｂの冷却箇所の温度低下の勾配とに差が生じる。このように、各温度の低下勾配に差がある場合、コントロールユニット８０は、ヒートロール４６に巻き付いた用紙が除去されていないと判定する（ステップ１４２の肯定判定）。また、用紙通過領域４７Ａ（用紙）と用紙通過領域外４７Ｂ（ロール表面）の温度差による検知が困難な使用済みの用紙等に対しても、各冷却箇所の温度低下勾配（温度低下カーブ）には差が出ることで、この場合もヒートロール４６と用紙を判別することができる。
【００８６】
このコントロールユニット８０による判定結果（ヒートロール４６に対する用紙の巻き付き異常が解消されていないこと）は、表示部６２を通して報知される（ステップ１４８）。これにより、ユーザによって、ヒートロール４６に巻き付いた用紙の有無が再確認され、発見後に確実に除去される（ステップ１３６）。
【００８７】
そして、この巻き付き用紙の除去後に、再び、送風ユニット１０４Ａ、１０４Ｂによるヒートロール４６表面の局所的な冷却が行われ（ステップ１３８）、各冷却箇所が温度センサ１０２Ａ、１０２Ｂによって測定されると（ステップ１４０）、各温度の低下勾配にほぼ差が無い状態となる。これにより、コントロールユニット８０は、ヒートロール４６に巻き付いた用紙が除去された判定し（ステップ１４２の否定判定）、表示部６２を通して巻き付き異常が解消されたことが報知される（ステップ１４４）。この報知を受けてユーザが画像形成装置１０による印刷を再開すると（ステップ１４６）、定着不良のない良好な画像が形成されたプリントが出力される。
【００８８】
以上説明したように、ヒートロール４６の表面４７における用紙通過領域４７Ａと用紙通過領域外４７Ｂをそれぞれ局所的に冷却する本実施形態の構成でも、ヒートロール４６に対する巻き付き用紙の有無が正確に検知できるようになり、使用済みの用紙等であっても、その有無を正確に検知できるようになる。また第１の実施形態と同様に、用紙の検知判定に掛かる時間と印刷再開までの時間が短縮される。したがって、本実施形態によっても、ヒートロール４６に巻き付いて除去されていない用紙の検知が迅速且つ正確に行われて定着不良が防止されるようになり、定着不良による画像汚れの無い良好な画像形成が可能となる。
【００８９】
（第３の実施形態）
次に、本発明の第３の実施形態について説明する。
【００９０】
図７（Ａ）、（Ｂ）に示すように、本実施形態に係る定着装置では、ヒートロール４６の用紙通過領域４７Ａに対応して、第１の実施形態で説明したヒーターランプ１００Ａと第２の実施形態で説明した送風ユニット１０４Ａが一組にされて設けられており、ヒートロール４６の用紙通過領域外４７Ｂに対応して、同じくヒーターランプ１００Ｂと送風ユニット１０４Ｂが一組にされて設けられている。またここでは、ヒーターランプ１００Ａ、１００Ｂに対して送風ユニット１０４Ａ、１０４Ｂが、ヒートロール４６の回転方向における上流側に配置されており、これによって、用紙通過領域４７Ａ／用紙通過領域外４７Ｂが局所的に冷却されてから加熱されるよう構成されている。
【００９１】
次に、上記構成の定着装置を備える本実施形態の画像形成装置１０において、印刷動作でのヒートロール４６に対する用紙巻き付きからその回復までの一連の動作を図８のフローチャートを用いて説明する。
【００９２】
図８に示すフローチャートのステップ１５０〜１５６では、第１の実施形態で説明した図４に示すフローチャートのステップ１１０〜１１６と同じ動作が行われる。
【００９３】
ユーザによるジャムの解消作業後に、コントロールユニット８０が送風ユニット１０４Ａ、１０４Ｂを動作させて、ヒートロール４６の表面４７（用紙通過領域４７Ａ／通過領域外４７Ｂ）に対する局所的な冷却を行い、続いて、ヒーターランプ１００Ａ、１００Ｂを動作させて、冷却箇所の局所的な加熱を行う（ステップ１５８）。続いて、このように一旦冷却してから加熱した各箇所の温度を、温度センサ１０２Ａ、１０２Ｂによって測定し（ステップ１６０）、用紙通過領域４７Ａと通過領域外４７Ｂの温度低下後に上昇するカーブの差から、ヒートロール４６に対する巻き付き用紙の有無を判定する（ステップ１６２）。そして、この判定以降のステップ１６４〜１６８では、第１の実施形態で説明した図４に示すフローチャートのステップ１２４〜１２８と同じ動作が行われる。
【００９４】
このように、本実施形態では、ヒートロール４６と用紙の区別を、温度低下勾配と温度上昇勾配の両方（温度低下後に上昇するカーブ）で判定していることにより、ヒートロール４６に残存する巻き付き用紙の検知精度を高めることができる。
【００９５】
（第４の実施形態）
次に、本発明の第４の実施形態について説明する。第４の実施形態は、ヒートロール４６の周長よりも長さの長い又は短い用紙が巻き付いた場合に、その巻き付き用紙の有無（残存）を第１〜第３の実施形態とは異なる方法で検知するものである。
【００９６】
図９（Ａ）及び図１０（Ａ）に示す本実施形態の定着装置では、第１〜第３の実施形態で説明したヒーターランプ１００Ａ、１００Ｂ、送風ユニット１０４Ａ、１０４Ｂ、及び温度センサ１０２Ａ、１０２Ｂのうち、少なくとも温度センサ１０２Ａは設けられている。
【００９７】
次に、上記構成の定着装置を備える本実施形態の画像形成装置１０において、印刷動作でのヒートロール４６に対する用紙巻き付きからその回復までの一連の動作を図１１のフローチャートを用いて説明する。
【００９８】
図１１に示すフローチャートのステップ１７０〜１７６では、第１の実施形態で説明した図４に示すフローチャートのステップ１１０〜１１６と同じ動作が行われる。
【００９９】
印刷する用紙の長さが加熱ロールの周長よりも長い場合（図９（Ａ）のプレプリント紙ＰＬ参照）、又は短い場合（図１０（Ａ）のプレプリント紙ＰＳ参照）に、ヒートロール４６への用紙の巻き付きを含むジャムが発生し、ユーザによるジャムの解消作業が行われて印刷が再開される前に、本実施形態では、第１〜第３の実施形態で説明した用紙通過領域４７Ａ及び用紙通過領域外４７Ｂの局所的な加熱や冷却を行わず、コントロールユニット８０は定着装置の駆動モータを作動させてヒートロール４６を定速回転させ（ステップ１７８）、温度センサ１０２Ａによって、回転するヒートロール４６の表面４７における用紙通過領域４７Ａの温度を測定する（ステップ１８０）。
【０１００】
ここで、ヒートロール４６に巻き付いた用紙がユーザによって正しく除去された場合には、回転するヒートロール４６の周方向における温度変化はほぼ無く、ほぼ一定の温度となる。
【０１０１】
このように、回転するヒートロール４６の周方向における温度変化がほぼ無い場合、コントロールユニット８０は、ヒートロール４６に巻き付いた用紙が除去されたと判定する（ステップ１８２の否定判定）。そして、表示部６２を通して、ヒートロール４６における用紙の巻き付き異常が解消されたことが報知され（ステップ１８４）、印刷の再開が可能となる（ステップ１８６）。
【０１０２】
また、ヒートロール４６に巻き付いた用紙が除去されていないと、用紙はヒートロール４６によって温められるが、図９（Ａ）に示すように、用紙の長さがヒートロール４６の周長よりも長い場合には（プレプリント紙ＰＬ）、用紙の長さ方向における両端部が重なって、その重なり部（Ｃ部）では他部よりも温度が低くなる（温度上昇が遅くなる）。そのため、図９（Ｂ）に示すように、回転するヒートロール４６の周方向における温度に、一定周期で低温部ＬＴが現れる。
【０１０３】
一方、図１０（Ａ）に示すように、用紙の長さがヒートロール４６の周長よりも短い場合には（プレプリント紙ＰＳ）、用紙の長さ方向における両端部に隙間ができて、その隙間部（Ｄ部）ではヒートロール４６の表面４７（用紙通過領域外４７Ｂ）が露出し用紙よりも温度が高くなる。そのため、図１０（Ｂ）に示すように、回転するヒートロール４６の周方向における温度に、一定周期で高温部ＨＴが現れる。
【０１０４】
ここで、コントロールユニット８０は、上記の低温部ＬＴ又は高温部ＨＴが検出されると、ヒートロール４６に巻き付いた用紙が除去されていないと判定する（ステップ１８２の肯定判定）。
【０１０５】
このコントロールユニット８０による判定結果（ヒートロール４６に対する用紙の巻き付き異常が解消されていないこと）は、表示部６２を通して報知され（ステップ１８８）、これにより、ユーザによって、ヒートロール４６に巻き付いた用紙の有無が再確認され、発見後に確実に除去される（ステップ１７６）。
【０１０６】
そして、この巻き付き用紙の除去後は、再び、温度センサ１０２Ａによって、回転するヒートロール４６表面の温度測定が行われ（ステップ１７８、１８０）、ここでは、測定温度に周期的な変化が現れず、ほぼ一定となる。これにより、コントロールユニット８０は、ヒートロール４６に巻き付いた用紙が除去された判定し（ステップ１８２の否定判定）、表示部６２を通して巻き付き異常が解消されたことが報知される（ステップ１８４）。この報知を受けてユーザが画像形成装置１０による印刷を再開すると（ステップ１８６）、定着不良のない良好な画像が形成されたプリントが出力される。
【０１０７】
以上説明したように、ヒートロール４６の周長よりも長さの長い又は短い用紙に対しては、ヒートロール４６を回転させてロール表面温度を測定することにより、巻き付き用紙が除去されたか否かを検知することができ、したがって、その巻き付き用紙の検知が迅速に行えるようになる。
【０１０８】
（第５の実施形態）
次に、本発明の第５の実施形態について説明する。第５の実施形態は、ヒートロール４６の周長よりも長さの短い用紙が巻き付いた場合に、その巻き付き用紙の有無（残存）を検知する、第４の実施形態の変形例である。
【０１０９】
図１２（Ａ）、（Ｂ）に示す本実施形態の定着装置では、第４の実施形態と同じく、第１〜第３の実施形態で説明したヒーターランプ１００Ａ、１００Ｂ、送風ユニット１０４Ａ、１０４Ｂ、及び温度センサ１０２Ａ、１０２Ｂのうち、少なくとも温度センサ１０２Ａは設けられている。また、温度センサ１０２Ａよりも、ヒートロール４６の回転方向における上流側には、ヒートロール４６表面の用紙通過領域４７Ａに巻き付いた用紙を検出する非接触式の巻き付き用紙検出センサ１０６が設けられている。この巻き付き用紙検出センサ１０６はコントロールユニット８０に接続されており、ヒートロール４６に巻き付く用紙の先端を検出すると、そのタイミングで検出信号をコントロールユニット８０に出力する。
【０１１０】
次に、上記構成の定着装置を備える本実施形態の画像形成装置１０において、印刷動作でのヒートロール４６に対する用紙巻き付きからその回復までの一連の動作を図１３のフローチャートを用いて説明する。
【０１１１】
図１３に示すように、画像形成装置１０による印刷が開始され（ステップ１９０）、定着処理において、ヒートロール４６の周長よりも長さの短い用紙（プレプリント紙Ｐ１）がヒートロール４６に巻き付いた場合に（ステップ１９２／図１２（Ａ）参照）、その巻き付き用紙（プレプリント紙ＰＳ１）が、巻き付き用紙検出センサ１０６によって検出されると（ステップ１９４）、コントロールユニット８０は、その次に定着処理する用紙（プレプリント紙ＰＳ２）に対し、搬送速度を上げるよう用紙搬送系１０８を駆動制御する。これにより、加速された次の用紙（プレプリント紙ＰＳ２）は、その先端部が巻き付き途中の用紙（プレプリント紙ＰＳ１）の後部とヒートロール４６と間に挟み込まれるとともに（図１２（Ａ）参照）、ヒートロール４６の回転に伴い、最初に巻き付いた用紙に重なってヒートロール４６に巻き付けられる（ステップ１９８／図１２（Ｂ）参照）。ここで、印刷（定着処理）が一時停止され、表示部６２に、ジャム（ヒートロール４６への用紙巻き付き）が発生したことを報知するエラーメッセージが表示される（ステップ１９８）。続いて、図１３に示すフローチャートのステップ２００〜２１２で、第４の実施形態で説明した図１１に示すフローチャートのステップ１７６〜１８８と同じ動作が行われる。
【０１１２】
このように、本実施形態では、ヒートロール４６の周長よりも長さの短い用紙に対して、用紙の重なり部を形成することができ、これにより、第４の実施形態で説明した、ヒートロール４６表面の周方向における温度変化を監視して用紙を検知する際に、より確実に検知することができる。
【０１１３】
また、特に、このようなヒートロール４６の周長よりも長さの短い用紙では、ユーザが画像形成装置１０の開閉パネルを開放してヒートロール４６を確認したときに、ヒートロール４６の表面４７が露出していると用紙が無いものと認識して、そのまま開閉パネルを閉塞してしまうことがある。しかしここでは、ヒートロール４６を確認したときに巻き付き用紙が発見されやすくなって、巻き付き用紙が放置されるようなことも防止できる。
【０１１４】
（第６の実施形態）
次に、本発明の第６の実施形態について説明する。
【０１１５】
図１４に示すように、本実施形態に係る定着装置では、第５の実施形態で説明した非接触式の巻き付き用紙検出センサ１０６に代えて、接触式の巻き付き用紙検出センサ２２０が設けられている。この巻き付き用紙検出センサ２２０は、軽負荷で回転するパドルロール２２２と、パドルロール２２２の回転変位量を電気的なパルス信号としてコントロールユニット８０に出力する図示しないロータリエンコーダを備えている。また、パドルロール２２２の外周面には、周方向に沿って複数の突起２２４が設けられており、パドルロール２２２は、その突起２２４の先端がヒートロール４６の表面４７（用紙通過領域４７Ａ）から僅かに離間してヒートロール４６に対向配置されている。なお、このパドルロール２２２については、例えば、外周面に周方向に沿って複数の歯（突起）が設けられたスターホイール（星型歯車）等の置き換えてもよい。
【０１１６】
これにより、本実施形態では、巻き付き用紙検出センサ２２０に設けられたパドルロール２２２の突起２２４に、ヒートロール４６に巻き付いた用紙（プレプリント紙Ｐ）の先端が突き当り（図１４参照）、そのまま用紙の先端に押されてパドルロール２２２が回転すると、ロータリエンコーダからコントロールユニット８０にパルス信号が出力されて用紙が検出される。また、仮に用紙の先端がパドルロール２２２の突起２２４を通り抜けたとしても、用紙の浮いた部分が突起２２４に接触してパドルロール２２２が回転することにより用紙が検出される。
【０１１７】
このようなパドルロール２２２を備えた接触式の巻き付き用紙検出センサ２２０を用いることにより、ヒートロール４６に巻き付いた用紙の検出が迅速に行えるようになる。
【０１１８】
（第７の実施形態）
次に、本発明の第７の実施形態について説明する。
【０１１９】
図１５に示すように、本実施形態に係る定着装置では、ヒートロール４６に巻き付いた用紙を剥離する回転式の剥離部材として、外周面に複数の突起２３４が設けられたパドルロール２３０が設けられている。このパドルロール２３０は、ヒートロール４６の表面４７（用紙通過領域４７Ａ）から僅かに離間して対向配置されており、コントロールユニット８０に駆動制御される図示しない駆動モータによって、ヒートロール４６の回転方向とは逆方向に高速で回転駆動される。なお、この駆動モータには、ヒートロール４６を回転駆動する駆動モータを用いて、その回転駆動力を歯車機構によってパドルロール２３０に伝達するようにしてもよい。
【０１２０】
また、パドルロール２３０に対して、ヒートロール４６の回転方向における上流側の近傍には、第５の実施形態で説明した巻き付き用紙検出センサ１０６が設けられている。
【０１２１】
これにより、本実施形態では、ヒートロール４６とは逆方向へ回転駆動するパドルロール２３０の突起２３２に、ヒートロール４６に巻き付いた用紙（プレプリント紙Ｐ）の先端が引っ掛けられ、ヒートロール４６から剥離されてジャムにされる。そして、ジャムとなった用紙が巻き付き用紙検出センサ１０６に検出されると、印刷が一時停止する。
【０１２２】
このようなパドルロール２３０からなる回転式の剥離部材を用いることにより、例えば固定的に設けられた剥離爪等に対して剥離性が高められる。また、仮にパドルロール２３０が用紙の押圧力に負けて連れ回りしたとしても、通常の剥離爪等とは異なって巻き付き用紙自体の検出は可能である。
【０１２３】
そしてこのように、ヒートロール４６に巻き付いた用紙を剥離することで、用紙の焦げの発生が抑えられる。また、用紙をジャムにしてしまうことで、ユーザが画像形成装置１０の開閉パネルを開放してヒートロール４６を確認したときに、用紙が見落とされる可能性は少なくなり、用紙の放置防止効果も高められる。
【０１２４】
（第８の実施形態）
次に、本発明の第８の実施形態について説明する。
【０１２５】
図１６に示すように、本実施形態では、第６の実施形態で説明した巻き付き用紙検出センサ２２０のパドルロール２２２、又は、第６の実施形態で説明した回転剥離部材としてのパドルロール２３０と、ヒートロール４６の間隔を略一定に保つ間隔保持手段として、回転ロール２４０が設けられている。この回転ロール２４０は、パドルロール２２２又はパドルロール２３０と、軸２４２を介して同軸的に配置されるとともにそれらよりも僅かに大径とされ、且つ、それらとは独立して回転可能とされており、ヒートロール４６の表面４７における用紙通過領域外４７Ｂに接触している。
【０１２６】
これにより、本実施形態では、例えば、製造誤差等でヒートロール４６の表面４７に凹凸があったり、ロールが偏芯しているような場合でも、回転ロール２４０によって、パドルロール２２２又はパドルロール２３０と、ヒートロール４６の間隔が略一定に保たれる。したがって、パドルロール２２２又はパドルロール２３０がヒートロール４６の表面４７（用紙通過領域４７Ａ）に接触してロール表面を傷付けたり、ロール表面から必要以上に離間して、巻き付いた用紙がパドルロール２２２又はパドルロール２３０をすり抜けてしまうことを防止でき、巻き付き用紙の検出精度、又は、剥離性を向上することができる。また、このような回転ロール２４０を用いていることにより、間隔を高い精度で略一定に保つことができる間隔保持手段を簡単な構成によって実現することができる。
【０１２７】
以上、本発明を上述した第１〜第８の実施形態により詳細に説明したが、本発明はそれらに限定されるものではなく、本発明の範囲内にて他の種々の形態が実施可能である。
【図面の簡単な説明】
【０１２８】
【図１】本発明の一実施形態に係る画像形成装置の概略構成を示す構成図である。
【図２】本発明の一実施形態に係る画像形成装置の制御系の概略構成を示すブロック図である。
【図３】（Ａ）は本発明の第１の実施形態に係る定着装置の要部を示す正面図、（Ｂ）は（Ａ）の矢印３Ｂ方向から見た側面図である。
【図４】本発明の第１の実施形態に係る定着装置のヒートロールに対する用紙巻き付きからその回復までの一連の動作の流れを示すフローチャートである。
【図５】（Ａ）は本発明の第２の実施形態に係る定着装置の要部を示す正面図、（Ｂ）は（Ａ）の矢印５Ｂ方向から見た側面図である。
【図６】本発明の第２の実施形態に係る定着装置のヒートロールに対する用紙巻き付きからその回復までの一連の動作の流れを示すフローチャートである。
【図７】（Ａ）は本発明の第３の実施形態に係る定着装置の要部を示す正面図、（Ｂ）は（Ａ）の矢印７Ｂ方向から見た側面図である。
【図８】本発明の第３の実施形態に係る定着装置のヒートロールに対する用紙巻き付きからその回復までの一連の動作の流れを示すフローチャートである。
【図９】（Ａ）は本発明の第４の実施形態に係る定着装置の要部と、ヒートロールにその周長よりも長さの長い用紙が巻き付いた状態を示す正面図、（Ｂ）は（Ａ）の状態で回転するヒートロールの周方向における温度変化を示すグラフ図である。
【図１０】（Ａ）は本発明の第４の実施形態に係る定着装置の要部と、ヒートロールにその周長よりも長さの短い用紙が巻き付いた状態を示す正面図、（Ｂ）は（Ａ）の状態で回転するヒートロールの周方向における温度変化を示すグラフ図である。
【図１１】本発明の第４の実施形態に係る定着装置のヒートロールに対する用紙巻き付きからその回復までの一連の動作の流れを示すフローチャートである。
【図１２】（Ａ）は本発明の第５の実施形態に係る定着装置の要部と、ヒートロールにその周長よりも長さの短い用紙が１枚巻き付きかけるとともにその用紙に続いて２枚目の用紙が送り込まれる状態を示す正面図、（Ｂ）は（Ａ）のヒートロールにその周長よりも長さの短い用紙が２枚重ねて巻き付いた状態を示す正面図である。
【図１３】本発明の第５の実施形態に係る定着装置のヒートロールに対する用紙巻き付きからその回復までの一連の動作の流れを示すフローチャートである。
【図１４】本発明の第６の実施形態に係る定着装置の要部を示す正面図である。
【図１５】本発明の第７の実施形態に係る定着装置の要部を示す正面図である。
【図１６】本発明の第８の実施形態に係る定着装置のヒートロール付近を一部示す部分側面図である。
【符号の説明】
【０１２９】
１０   画像形成装置
１２   定着装置
４６   ヒートロール（加熱ロール）
４７   表面
４７Ａ 用紙通過領域（記録媒体の通過領域）
４７Ｂ 用紙通過領域外
４８   加圧ロール
５０   ヒーターランプ（熱源）
６２   表示部（報知手段）
８０   コントロールユニット（異常判定手段）
１００Ａ      ヒーターランプ（第１の加熱手段）
１００Ｂ      ヒーターランプ（第２の加熱手段）
１０２Ａ      温度センサ（第１の温度測定手段／温度測定手段）
１０２Ｂ      温度センサ（第２の温度測定手段）
１０４Ａ      送風ユニット（第１の冷却手段）
１０４Ｂ      送風ユニット（第２の冷却手段）
１０６ 巻き付き用紙検出センサ（記録媒体検出手段）
２２０ 巻き付き用紙検出センサ（回転検出手段）
２２２ パドルロール（回転部材）
２２４ 突起
２３０ パドルロール（回転剥離部材）
２３２ 突起
２４０ 回転ロール（間隔保持手段／回転ロール）
Ｐ     プレプリント紙（記録媒体）
【図１】
0004631607.tif 000002
【図２】
0004631607.tif 000003
【図３】
0004631607.tif 000004
【図４】
0004631607.tif 000005
【図５】
0004631607.tif 000006
【図６】
0004631607.tif 000007
【図７】
0004631607.tif 000008
【図８】
0004631607.tif 000009
【図９】
0004631607.tif 000010
【図１０】
0004631607.tif 000011
【図１１】
0004631607.tif 000012
【図１２】
0004631607.tif 000013
【図１３】
0004631607.tif 000014
【図１４】
0004631607.tif 000015
【図１５】
0004631607.tif 000016
【図１６】
0004631607.tif 000017